Podtech/llm-jp-corpus-v4-ja_patent huggingface dataset:
(57)【要約】      （修正有）【課題】携帯電話のタッチパネルを片手で操作できるようにする携帯カバークリップを提供する。【解決手段】携帯電話の携帯カバーの背面に凹凸をつけることによって重心が真ん中になり、持ちやすく大きな画面の携帯電話でも片手の指で画面の上部まで操作できる。【選択図】図１
0003187494.tif 000002
【実用新案登録請求の範囲】
【請求項１】
携帯電話（スマートフォン）の携帯カバーの背面に凹凸をつけることによって重心が真ん中になり、大きな画面のスマートフォンでも片手の指で画面の上部まで操作することができる。
【考案の詳細な説明】
【技術分野】
【０００１】  本考案はスマートフォンのカバーの後ろに凹凸をつけ、中央部分に指をからますことにより、スマートフォンのタッチパネルを片手で操作することを可能にすることができる。
【背景技術】
【０００２】片手がふさがりもう片手だけでスマートフォンを操作する場合、操作できるタッチパネルの範囲が限られていた。
【先行技術文献】
【特許文献】
【０００３】
【特許文献１】  ２００７−１２４３６８
【特許文献２】
【非特許文献】
【０００４】
【非特許文献１】  ｈｔｔｐ：／ｗｗｗ２．ｅｌｅｃｏｍ．ｃｏ．ｊｐ／ａｖｄ／ｃｅｌｌｐｈｏｎｅ／ｉｎｄｅｘ．ｈｔｍｌ  スマートフォン・携帯電話関連  株式会社エレコム
【非特許文献２】
【考案の概要】
【考案が解決しようとする課題】
【０００５】最近は携帯電話（スマートフォン）の画面サイズが大きくなり片手では操作し辛くなってきているのを解決しようとしたものである。
【課題を解決するための手段】
【０００６】方向案は携帯電話カバーの表面中央部分に突起物をつけることによってタッチパネルの部分を全面的に操作することが容易にできる。
【考案の効果】
【０００７】このカバーをつけることによって携帯電話のタッチパネルの上部から下部まで片手で操作を可能とする。
【図面の簡単な説明】
【０００８】
【図１】スマートフォンのカバーの背面の図面である。
【考案を実施するための形態】
【０００９】携帯電話（スマートフォン）のカバーの背面の中心に凹凸をつけ凹凸の部分はすべらない素材にすることにより重心を中心に保ち大きなタッチパネルを片手で操作できることを可能とする。
【実施例】
【００１０】本考案の携帯カバーに携帯電話本体を設置し、携帯カバーの背面に突起物をつけ携帯電話のタッチパネルを全面に操作しやすくする。
【産業上の利用可能性】
【００１１】
【符号の説明】
【００１２】１  携帯電話本体
２  携帯電話カバー
３  凹凸（グリップ）
【図１】
0003187494.tif 000003
【手続補正書】
【提出日】平成25年7月8日(2013.7.8)
【手続補正１】
【補正対象書類名】実用新案登録請求の範囲
【補正対象項目名】全文
【補正方法】変更
【補正の内容】
【実用新案登録請求の範囲】
【請求項１】
携帯電話の携帯カバーの背面に凹凸をつけることによって重心が真ん中になり、大きな画面の携帯電話でも片手の指で画面の上部まで操作することが可能になる。
【手続補正書】
【提出日】平成25年9月11日(2013.9.11)
【手続補正１】
【補正対象書類名】実用新案登録請求の範囲
【補正対象項目名】全文
【補正方法】変更
【補正の内容】
【実用新案登録請求の範囲】
【請求項１】
携帯電話の携帯カバーの背面に凹凸をつけることによって重心が真ん中になり、持ちやすく大きな画面の携帯電話でも片手の指で画面の上部まで操作できることが特徴とする携帯カバーグリップ
(57)【要約】      （修正有）【課題】乳幼児の背中や後頭部の汗を吸い取る乳幼児用汗取りパットを提供する。【解決手段】乳幼児用の汗取りパットにおいて、略矩形状の背当て部１と、背当て部１の上縁中央部に連接された頭当て部３とから成り、連結部２はくびれ形状を有し、頭当て部に頭部を保護する保護パットの挿入部４を有することを特徴とする汗取りパットである。【選択図】図１
0003187498.tif 000002
【実用新案登録請求の範囲】
【請求項１】
略矩形状の背当て部と、背当て部の上縁中央部に連接された頭当て部とから成り、、乳幼児の頭部の汗取り部に乳幼児の頭部を保護するパットを挿入する挿入部を有することを特徴とする乳幼児用汗取りパット
【考案の詳細な説明】
【技術分野】
【０００１】  本考案は、乳幼児の背中や後頭部の汗を吸い取る汗取りパットに関するものである。
【背景技術】
【０００２】  乳幼児は、授乳時や睡眠時、背中や頭にかなりの汗をかく。そのため、乳幼児の背中に汗を吸い取る汗取りパットを洋服と背中の間に入れたり、乳児と大人の腕の間に汗取りパットや後頭部の保護として厚手の保護パットを使用するが、乳児が動くと乳児の背中の汗取りパットもタオルもずれてしまう。
また、乳児期は頻繁に授乳するため、その都度、汗取りパットとタオルの二枚を交換しなければならない。【０００３】  乳幼児がベビーカーや車等の乗り物に乗る際も、背中と後頭部にかなりの汗をかく。そのため、乳幼児の背中に汗を吸い取るパットを洋服の中に入れたり、後頭部に汗取りパットを充てがうものの、幼児はよく動くので後頭部のタオルは落ちやすく、背中の汗取りパットもずれやすくなってしまう。
更には、乗物に乗る時等、後頭部を保護するためにタオル等の厚手の保護パットをあてがうことも多いが、乳幼児は動きやすいためすぐずれてしまうという欠点があった。
【先行技術文献】
【特許文献】
【０００４】
【特許文献１】実用新案登録第３１５８４０３号
【特許文献２】特開平２００６−４５７５０
【考案の概要】
【考案が解決しようとする課題】
【０００５】  乳幼児の背中と後頭部の汗を取るために、背中、後頭部に其々汗取り用のパットを使用するが、乳幼児は動きやすいため、どちらもずれやすく、また頻繁に交換するため、大量の汗取りパットを用意しなければならないことが課題であった。
更には、授乳時、抱きかかええる時、乗物に乗る時等、後頭部を保護するためにタオル等の保護パットをあてがうことも多いが、乳幼児は動きやすいためすぐずれてしまうという欠点があった。
【課題を解決するための手段】
【０００６】  乳幼児用の汗取りパットにおいて、略矩形状の背当て部と、背当て部の上縁中央部に連接された頭当て部とから成り、連結部はくびれ形状を有し、頭当て部に頭部を保護する保護パットの挿入部を有することを特徴とする汗取りパットである。
【考案の効果】
【０００７】  乳幼児の背中の汗取りパットと頭の汗取りパットを一体化させることにより、乳幼児の授乳時、睡眠時等、ベビーカー等の乗り物に乗る際も、背中および頭の汗取りパットがずれることがない。
更には、一枚で背中と後頭部の汗取りの機能を兼ねているため、交換枚数が一枚ですむ。
更には、頭当て部に保護パットの挿入部をもうけることで、保護パットがずれることなく効率的に背中、後頭部の汗取りと頭部の保護をすることができる。
【図面の簡単な説明】
【０００８】
【図１】図１は、本考案の実施例を示す正面図である。（実施例１）
【考案を実施するための形態】
【実施例１】
【０００９】  図１は、略矩形状の背当て部（１）、前記背当て部の上縁中央部に括れ部（２）、及び、乳幼児の頭当て部（３）からなり、（３）には頭部保護パットの挿入部（４）を有する。
背当て部（１）と頭当て部（２）を一体構成とすることで、一枚の汗取りパッドで効率的に乳幼児の背中と後頭部の汗を吸い取ることが可能になる。さらには、
頭当て部（３）部に頭部を保護するパット挿入部があれば、そこにタオル等の保護パットをいれることができるため、ずれることなく、効率的に乳児も大人の腕も保護する効果がある。【００１１】  素材は、汗を吸い取りやすい素材であればよく、特にガーゼ素材が好ましい。【００１２】  頭の汗取りや後頭部の保護が不要なときは、（２）の括れ部で折り返すことにより、従来の背中汗取りパットとして使用することができる。
【符号の説明】（１）背中当て部
（２）括れ部
（３）頭部当て部
（４）保護パット挿入部
【図１】
0003187498.tif 000003
【手続補正書】
【提出日】平成25年8月14日(2013.8.14)
【手続補正１】
【補正対象書類名】実用新案登録請求の範囲
【補正対象項目名】全文
【補正方法】変更
【補正の内容】
【実用新案登録請求の範囲】
【請求項１】
略矩形状の背当て部と、背当て部の上縁中央部に連接された頭当て部とから成り、前記頭当て部に乳幼児の頭部を保護するパットを挿入する挿入部を有することを特徴とする乳幼児用汗取りパット
(57)【要約】      （修正有）【課題】大腿四頭筋の下腿及び下肢を強化する歩行アシストベルトを提供する。【解決手段】ベルト芯にバックルリングと接着布とを取り付けてなる膝用アシストベルトと、ベルトカバー布地にバックルリングと接着布とを取り付けたベルト芯を複数装着してなるふくらはぎ用アシストベルトと、からなることを特徴とする、膝用アシストベルトとふくらはぎ用アシストベルトより構成する。体重を支え膝を伸ばす大腿四頭筋の下腿に膝用アシストベルトを装着して膝を伸ばす筋力を強化し、下肢にふくらはぎ用アシストベルトを装着して下肢の筋力強化だけでなく循環も改善させる。【選択図】図４
0003187496.tif 000002
【実用新案登録請求の範囲】
【請求項１】
体重を支え膝を伸ばす大腿四頭筋の下腿に膝用アシストベルトを装着して膝を伸ばす筋力を強化し、体重を滑らかに移動させる下肢にふくらはぎ用アシストベルトを装着して下肢の筋力強化だけでなく循環も改善させることなど大腿と下腿の筋肉を個縛して筋力を高めることを特徴とする歩行アシストベルト。
【考案の詳細な説明】
【技術分野】
【０００１】  この考案は歩行アシストベルトによって大腿四頭筋の下腿及び下肢の強化に関するものである。
【背景技術】
【０００２】  筋肉を個縛し筋肉の動きを検出する筋肉動検出装置はあるが（特許文献１参照）。
しかし歩行についてのものはみつからない。
【先行技術文献】
【特許文献】
【０００３】
【特許文献１】特開２０１０−２９６３３公報
【考案の概要】
【考案が解決しようとする課題】
【０００４】  中高年の肥満の人の多くは膝関節痛と下肢のむくみがあり、これが原因の歩行困難が多く歩かないための運動不足による肥満という悪循環に陥っている。
本考案はこれらの問題点を解決できる歩行アシストベルトを提供することを課題とする。
【課題を解決するための手段】
【０００５】  本考案が提供する歩行アシストベルトは膝用アシストベルトとふくらはぎ用アシストベルトからなり適用部位に対して筋力を高めることを特徴とするものである。
【考案の効果】
【０００６】  膝用ベルト、膝関節は全体重を支えて伸展しなくてはならない大腿四頭筋の下腿の個縛により伸展する筋力が高まり伸展が楽になる。
ふくらはぎ用ベルト、下腿のむくみを改善させるには通常収縮ストッキングをはくが肥満の人はお腹がつかえて前屈ができず一人ではくことが出来ないのが実情である。
本考案が提供するベルトは一人で装着できるだけでなく加圧の加減が出来るので心地よく高い効果を得られる。
【図面の簡単な説明】
【０００７】
【図１】本考案の大腿四頭筋の下腿を個縛する膝用ベルトの正裏の面図である。
【図２】本考案の下肢を個縛するふくらはぎ用ベルトの裏面図である。
【図３】本考案の膝用ベルトの組み立て図である。
【図４】本考案の歩行アシストベルトの装着状態を示す図である。
【考案を実施するための形態】
【０００８】  本願の歩行アシストベルトの実施例を図１，２，３，４を参照しながら説明する。
【実施例】
【０００９】  実施例に係る歩行アシストベルトの膝用ベルトはベルト芯１に接着布２，３をとりつけ、片端にバックルリング４とにより構成されている。
ふくらはぎ用ベルトはベルトカバー布地５に膝用ベルトと同様のベルトを複数装着して両端は接着布で固定するように構成されている。【００１０】  膝用ベルトは大腿四頭筋の下腿部に装着しその接合において接着布は大腿の内側で固定される。【００１１】  ふくらはぎ用ベルトは下腿の最も太い部位を中心に装着しその接合においてベルトカバーの接着布は下腿の内側で固定される。【００１２】  本考案により膝関節痛と下肢からくる静脈溜による歩行困難の方々に膝を伸展させる大腿四頭筋と体重を滑らかに移動させる下腿の筋力を強化させることで歩行が楽になりこれらで悩んでいる方々に貢献することができる。
【符号の説明】１、ベルト芯
２、接着布−
３、接着布＋
４、バックルリング
５、連結カバー布
【図１】
0003187496.tif 000003
【図２】
0003187496.tif 000004
【図３】
0003187496.tif 000005
【図４】
0003187496.tif 000006
【手続補正書】
【提出日】平成25年7月8日(2013.7.8)
【手続補正２】
【補正対象書類名】実用新案登録請求の範囲
【補正対象項目名】請求項１
【補正方法】変更
【補正の内容】
【請求項１】
膝用アシストベルトはベルト先端にバックルリングを取り付け末端部に接着布の−と＋を取り付け、ベルト幅は平均３ｃｍ、装着においてはベルトの末端部の接着布＋がバックルリングをくぐり接着布−と合致して個縛されるように構成されている。
少なくとも大腿四頭筋の下腿の筋肉を個縛して筋力を高めることを特徴とする膝用アシストベルト。
ふくらはぎ用アシストベルトはふくらはぎ用ベルトカバー方形布地、布の片端外側に一の接着布内側端に＋の接着布を固定し布の内面にはふくらはぎを個縛する４本のふくらはぎ用アシストベルトを取り付ける。
アシストベルト先端にバックルリングを取り付け末端部に接着布の−と＋を取り付け、ベルト幅は３ｃｍ、装着においてはベルトの末端部接着布＋がバックルリングをくぐり接着布−と合致して個縛する最後にカバー方形布の＋接着布を−に固定するように構成されている。
少なくともふくらはぎの筋肉を個縛してうっ血している血液を心臓に戻し、むくみを改善させることを特徴とするふくらはぎ用アシストベルト。
膝用アシストベルトとふくらはぎ用アシストベルトからなる歩行アシストベルトセット
【手続補正書】
【提出日】平成25年9月18日(2013.9.18)
【手続補正１】
【補正対象書類名】実用新案登録請求の範囲
【補正対象項目名】全文
【補正方法】変更
【補正の内容】
【実用新案登録請求の範囲】
【請求項１】
ベルト芯にバックルリングと接着布とを取り付けてなる膝用アシストベルトと、ベルトカバー布地にバックルリングと接着布とを取り付けたベルト芯を複数装着してなるふくらはぎ用アシストベルトと、からなることを特徴とする、膝用アシストベルトとふくらはぎ用アシストベルトからなる歩行アシストベルトセット。
(57)【要約】      （修正有）【課題】運転席に左腕用／助手席に右腕用アームレストが備えられていない乗用車に対し、長時間ドライブの際、ドアと反対側の腕を休めることができるアームレストを提供する。【解決手段】板状の本体を有し、本体下部の一方の端部に切り欠きを設け、本体頂部に水平方向に延在する角柱状の部材を設けた事を特徴とする。前記切り欠きにより前後方向の起倒を可能とし、前記角柱状の部材がアームレストとなる。【選択図】図１
0003187491.tif 000002
【実用新案登録請求の範囲】
【請求項１】
車室床面中央の隆起とシート座面の間隙、シート座面／背もたれのヒンジ部分の張り出しを利用し、簡易な構造でアームレストを起倒させる着想。
【考案の詳細な説明】
【技術分野】
【０００１】
なし
【背景技術】
【０００２】
なし
【先行技術文献】
【特許文献】
【０００３】
【特許文献１】なし
【非特許文献】
【０００４】
【非特許文献１】なし
【考案の概要】
【考案が解決しようとする課題】
【０００５】
運転席に左腕用／助手席に右腕用アームレストが備えられていないの乗用車では（右ハンドル車の場合、左ハンドル車は逆）、長時間ドライブの際、ドアと反対側の腕が疲れるけれども休める術がない。
【課題を解決するための手段】
【０００６】
適当な材質でアームレスト（肘掛）を作り、これを前後方向に起倒させる。起こした＝展開した状態でアームレストとして機能するけれども、シフト・ノブやサイド・ブレーキの操作に若干不都合（オートマ車ならば、展開したままでも運転できる）。しかし、肘で速やかに且つ容易く後方に倒せる＝収納できるため、前述の操作に支障ない。また高速道路上の使用に限れば、シフト・チェンジの頻度が僅かなため危険はないと見られる。
なお当該アームレストは、シートベルトのバックルより外側に位置するため、シートベルトおよびエアバッグの作動を阻害しない。
またアームレスト標準型（左腕用／右腕用）は、シート座面［低］＋運転者の座高［高］およびシートをチルトアップした座面［高］＋座高［低］に対応する。アームレスト短縮型（左腕用／右腕用）は、同じく座面［低］＋座高［低］に対応する。
【考案の効果】
【０００７】
高速道路など頻繁なシフト操作を伴わない長時間走行の際、ドアと反対側の腕を休める事ができるため、疲労が軽減される。
また肘掛の意匠を、シート地や車室の内張・ダッシュボードの木目パネル等と同じにする・似せる、乃至はコーディネートする事により、快適さ豪華さ・お洒落っぽさを演出できる。
【図面の簡単な説明】
【０００８】
【図１】［考案を実施するための形態］ および［実施例］は、添付図面とした試作品の写真を以て、これに代える。
【図２】アームレスト標準型 右ハンドル車 運転席用（左ハンドル車 助手席用兼用／左腕に用いる）の略図であり、試作品の実測値を基にしている。実用品の外寸の目安となるけれども、試作品実測値は実用品の外寸を拘束するものでなく、多少の長短は許容され得る。［１］本体下部100mm高×160mm長の切り欠きは、シート座面とシート背もたれを結合するヒンジ部に対応し、同ヒンジ部を謂ば回転軸として利用し、アームレストの起倒を可能にする働きを担う。切り欠きの形状は、試作品および略図では矩形であるが、実用品生産上の都合により円弧に改めても同じ機能を果たす。［２］本体側面中央に固着した350mm高×50mm幅×12mm厚の部材は、起倒時の摩擦抵抗を減らしつつ、アームレストの横方向のぐらつきを抑える働きを担う。試作品および略図では本体と別の部材を固着したけれども、実用品生産上の都合により一体成形に改めても同じ機能を果たす。［３］本体頂部の肘をのせる部分は、アームレスト標準型 右ハンドル車 運転席用を例にとれば左側（シートから見て外側）に僅かに傾くので、それに合わせて緩く内傾斜を附してある。それにより、肘をのせた姿勢の落ち着きを得ている。試作品および略図では本体と別の部材を固着したけれども、実用品生産上の都合により一体成形に改めても同じ機能を果たす。［４］なおアームレスト標準型 左ハンドル車 運転席用（右ハンドル車 助手席用兼用／右腕に用いる）は、上述したアームレスト標準型 右ハンドル車 運転席用を鏡面対象に左右逆転させる。また各 短縮型は、各 標準型より高さを30mm程度短くする。
【考案を実施するための形態】
【０００９】
添付写真で示す
【実施例】
【００１０】
添付写真で示す
【産業上の利用可能性】
【００１１】
装着可能な車輌等の座席に、アームレストとして利用する以外、他の用途は考え難い。
【符号の説明】
【００１２】
特になし
【図１】
0003187491.tif 000003
【図２】
0003187491.tif 000004
【手続補正書】
【提出日】平成24年12月1日(2012.12.1)
【手続補正１】
【補正対象書類名】図面
【補正対象項目名】図１
【補正方法】変更
【補正の内容】
【図１】
0003187491.tif 000005
【手続補正書】
【提出日】平成25年1月8日(2013.1.8)
【手続補正１】
【補正対象書類名】実用新案登録請求の範囲
【補正対象項目名】全文
【補正方法】変更
【補正の内容】
【実用新案登録請求の範囲】
【請求項１】
車室床面中央の隆起とシート座面の間隙をアームレストの保持に利用し、またシート座面／背もたれのヒンジ部分の張り出しを起倒の回転軸に利用し、それらによって簡易な構造で起倒可能にした、乗用車用 左腕用アームレスト標準型／右腕用アームレスト標準型および各 短縮型。
【手続補正書】
【提出日】平成25年3月4日(2013.3.4)
【手続補正１】
【補正対象書類名】実用新案登録請求の範囲
【補正対象項目名】全文
【補正方法】変更
【補正の内容】
【実用新案登録請求の範囲】
【請求項１】
板状の本体を有し、前記本体下部の一方の端部に切り欠きを設け、前記本体頂部に水平方向に延在する角柱状の部材を設けた事を特徴とするアームレスト。
(57)【要約】      （修正有）【課題】調理器具の握り部を握っている手が、熱く熱せられたフライパンの縁に接触したり、フライパン内の油などが跳ねて握り部を握っている手にかかり、火傷してしたりすることを防ぐことができる調理器具を提供する。【解決手段】理器具１は、食材に接する部分である本体２と、本体の後端部に設けられた握り部３とを有している。握り部３は、本体の後端部から後方へ延伸した、調理者の手の幅より長い長さを有する上側部３ａと、上側部の後端から下方に手の厚さより長い長さ分延び、さらに本体の後端に向かって延びる下側部３ｂとを有する。【選択図】図１
0003187447.tif 000002
【実用新案登録請求の範囲】
【請求項１】
食材に接する部分である本体と、前記本体の後端部に設けられた握り部とを有し、
前記握り部は、前記本体の後端部から後方へ延伸した、調理者の手の幅より長い長さを有する上側部と、前記上側部の後端から下方に手の厚さより長い長さ分延び、さらに前記本体の後端に向かって延びる下側部と
を有する調理器具。
【請求項２】
前記下側部の幅は前記上側部の幅より広い、請求項１に記載の調理器具。
【考案の詳細な説明】
【技術分野】
【０００１】
本考案は調理器具に関する。
【背景技術】
【０００２】
従来、調理の際にフライ返し、お玉などの調理器具を手に持って、フライパンの中の食材を混ぜたり、返したりしていた。
【先行技術文献】
【特許文献】
【０００３】
【特許文献１】実用新案登録第３１５６４７６号登録公報
【考案の概要】
【考案が解決しようとする課題】
【０００４】
しかし、調理器具を前後に動かしたり、フライパンをゆすったりする場合に、調理器具の握り部を握っている手が、熱く熱せられたフライパンの縁に接触したり、フライパン内の油などが跳ねて握り部を握っている手にかかり、火傷してしまう問題があった。
【０００５】
本考案によれば、調理中に調理者の手がフライパンの縁に接触したり、フライパン内の油などが跳ねて調理器具の握りを握っている手にかかり火傷したりすることなく、調理をできるようにする調理器具を提供することにある。
【課題を解決するための手段】
【０００６】
上記課題を解決する手段として、本考案は以下の特徴を有している。  
本考案は、調理器具として提案される。本考案に係る調理器具（１）は、食材に接する部分である本体（２）と、前記本体の後端部に設けられた握り部（３）とを有している。
【０００７】
握り部（３）は、前記本体の後端部から後方へ延伸した、調理者の手の幅より長い長さを有する上側部（３ａ）と、前記上側部の後端から下方に手の厚さより長い長さ分延び、さらに前記本体の後端に向かって延びる下側部（３ｂ）とを有する。
【考案の効果】
【０００８】
本考案によれば、調理中に調理者の手がフライパンの縁に接触したり、フライパン内の油などが跳ねて調理器具の握りを握っている手にかかり火傷してしたりすることなく、調理をできるようにする調理器具を提供することが可能となる。
【図面の簡単な説明】
【０００９】
【図１】本考案に係る調理器具の斜視図
【図２】本考案に係る調理器具を使用している状態を示す斜視図
【考案を実施するための形態】
【００１０】
以下、図面を参照しながら本考案の実施の形態について説明する。  
図1は、本考案に係る調理器具（本実施の形態ではフライ返し）の斜視図である。調理器具１は、食材に接する部分であって、食材を混ぜて炒めたり、出来上がった調理物をフライパン等の調理容器から取り出したりする部分である本体２と、本体２の後端に設けられた握り部３とを有している。
【００１１】
握り部３は、本体２の後端部から後方（図面中では右方向）へ延伸した、調理者の手の幅よりやや長めの長さを有する上側部３ａと上側部３ａ後端から下方（図面中では下方向）に手の厚さよりやや長めの長さ分延び、さらに本体２後端部に向かって延びる下側部３ｂとを有している。上側部３ａと下側部３ｂの間には少なくとも調理者の手、指が通過できる空隙が形成される。
下側部３ｂの先端は、上側部３ａ、本体２の後端２ａに接しても良いし、接していなくともかまわない。
【００１２】
握り部３は、スチールなどの金属性板状の部材を略Ｕ字状や略コの字状に折り曲げて形成されても良い。さらに、これに耐熱性シリコンゴムで被覆した部材としても良い。あるいは、難燃性、耐熱性を有する樹脂を射出成型することにより略Ｕ字状や略コの字状に形成した部材でも良い。
【００１３】
図２は、フライパン４と、本考案に係る調理器具１を使用して、調理作業をしている状態を示す斜視図である。調理者は、手５で握り部３の上側部３ａを握るようにして、調理器具１を握持している。握っている手５の指先５ａは、上側部３ａと下側部３ｂの間の空隙に差し入れられる。
【００１４】
調理器具１をフライパン４の中央へ差し入れる場合、調理者の手５より先に、握り部３の下側部３ｂがフライパン４の縁に必ず接する。そのため、高温に熱せられたフライパン４の縁が調理者の手５に直接接することは起こらない。また、フライパン４内部の油等が跳ねた場合にも、下側部３ｂがフライパン４と調理者の手５の間に位置しているため、油等が調理者の手にかかってしまうことも防いでいる。
【００１５】
［２．変形例］
下側部３ｂの幅を上側部３ａの幅より広い構成としても本考案は成立する。この変形例によれば、油等の跳ね飛びから調理者の手をより確実に保護することが可能である。
【００１６】
［３．その他］
調理器具１には、調理者が片手で握るものは全てが含まれる。例えば、フライ返し、中華返し、お玉、へら、そば揚げ、などである。
【符号の説明】
【００１７】
１…調理器具；  ２…本体；  ３…握り部；  ３ａ…上側部；  ３ｂ…下側部
【図１】
0003187447.tif 000003
【図２】
0003187447.tif 000004
(57)【要約】      （修正有）【課題】日傘をさしている人に、更に涼しさが加わるようにするとともに、携帯機器等に電力を供給できる日傘を提供する。【解決手段】日傘表面に有機薄膜太陽電池２を連結して貼り、発生した電力を配線５とパワーコンディッショナー３を介して傘の内側に設置された扇風機４に送り、風を発生させる。また、発生した電力を専用アダプターを介して、携帯電話充電器、ラジオ等の電源として利用する。【選択図】図１
0003187018.tif 000002
【実用新案登録請求の範囲】
【請求項１】
日傘（１）の表面に有機太陽電池（２）を連結して貼り、発電した電力を整流・調整器（３）に配線（５）で導き、得られたで電力で扇風機（４）を回転させて風を発生させることを特徴とする日傘
【考案の詳細な説明】
【考案の詳細な説明】
【産業上の利用分野】
【０００１】本考案は、日傘に関する
【背景技術】
【０００２】今までの日傘は単に太陽光を遮って、暑さや、日焼けを防止するために作られ、使用されている。
しかし、近年、日中は異常に高温な日照りの日が多く、直射日光を遮るだけでは、涼しさが必ずしも十分に得られなくなって来ている。
【考案が解決しようとする課題】
【０００３】従来の単に日射を遮るだけの日傘に、発電した電力で風を起こす装置を装着して、日傘をさしている人に、更に涼しさが加わるようにした当該日傘を提供する。
【課題を解決するための手段】
【０００４】（１）上記の目的を達成するための本考案の構成を、実施例に対応する図１を用いて説明すると、折りたたみ出来る日傘（１）の布又はフイルム材表面全体に、有機薄幕太陽電池（２）を張り付けて、当該有機薄幕太陽電池（２）は内部の傘の柄の部分に取り付けられたパワーコンディショナー（３）へ配線（５）でつながり、その先で小型の扇風機（４）に接続する。
扇風機にはオン・オフするスイッチ（６）が付く。
（２）有機太陽電池（２）は傘の折りたたみ時に支障になりにくいように、内部の骨の相当部位で分割されたブロック毎に分割されて傘の布又はフイルム膜に塗布又は貼り付けて装着する。
各太陽電池ブロックは配線（５）で相互に接続され、最終的にパワーコンディッショナー（３）に接続される。
（３）太陽電池のタイプは有機薄幕タイプに限らず、同様の発電機能を持つもので、傘に取り付け可能なものであれば使用出来る。
【作用】
【０００５】（１）  日照があれば広げてさされた日傘（１）の上部全面に付いている広い面積の有機薄幕太陽電池（２）により発電される。
（２）  有機太陽電池（２）は傘骨のブロック毎に分割されて装着されているため、傘をたたんだ時に傘骨の上で収納に支障が起こりにくい。
（３）  発電された電力は配線（５）で接続されたパワーコンディッショナー（３）経由して傘の内側中心部に設置された扇風機（４）のモーターを回転させて風を発生させる。
（４）  扇風機（４）はそれに付いているスイッチ（６）によりオン・オフが出来る。
【実施例】
【０００６】図面により、上述の手段、作用にて説明した内容に一部補足して簡単に説明すると、
（１）  図１は当該考案の見取り図をあらわす。日傘（１）は開閉して使用されるため、表面に貼られた有機太陽電池（２）は内部の傘骨の部位の上で夫々にブロックに分割されて、その位置で傘の布又はフイルム材に取付られているため、傘の収納時に支障が生じない。
（２）  パワーコンディッショナー（３）は傘の開閉に支障のない位置に取り付ける必要があり、場所は内側の傘骨のハブの近く又は傘の外側頂部に取付が実際的な場所である。
（３）  パワーコンディッショナー（３）は日傘（１）そのものではなく、傘をさしている人に取付け、所要の配線で扇風機（４）を回すことも出来る。
（４）  扇風機（４）の羽根は着脱式にし、必要な時に扇風機に装着して風を発生させることも出来る。又、羽根を着脱式にすることで、傘の開閉に支障が少くなる
（５）  携帯電話充電器、パソコン充電器、ラジオ等に得られた電力を、専用アダプターを追加して，それを介し供給することが出来る。
【考案の効果】
【０００７】（１）  日傘は布又はフイルムの表面積が大きく、太陽電池による電力の発生量が多くとれ、扇風機の風量が多くとれる。
（２）  パワーコンディッショナー（３）は日傘（１）から取外し、それを、傘をさしている本人の身体に取付けるが、又は、携帯することも出来、手で持つ日傘（１）の重量を少なくすることが出来る。
（３）  扇風機の羽根は日傘（１）をたたむ時に支障になるようであれば、取り外して別途収納することが可能である。
（４）  当該考案の日傘はパラソルにも応用出来、海水浴場、野外のイベント場所等に設置して使用出来る。
（５）  また、日傘の取手を長めにして先を尖らせて、土に差し込めるようにすれば、その下で日射を避け、畑の草取り作業をする時に使用出来る。
【図面の簡単な説明】
【０００８】
【図１】は本考案の日傘をあらわす見取り図。
【符号の説明】（１）は日傘、（２）は太陽電池、（３）はパワーコンディッショナー、（４）は扇風機、（５）は配線、（６）はスイッチ
【図１】
0003187018.tif 000003
(57)【要約】      （修正有）【課題】建造物の表面に突出するアンカーボルトに安全上取り付けられるキャップに関するもので、キャップ取り付け後もそのままの状態で中のアンカーボルトへの状況や取り付け構造を確認できるキャップを提供する。【解決手段】キャップ１を透明の素材で形成する。又は、その一部又は複数個所を透明の素材で形成する。透明であるため、その中の状況を、キャップをしたままの状態で外からでも見ることができ、点検作業の効率化を図ることができる。【選択図】図１
0003187094.tif 000002
【実用新案登録請求の範囲】
【請求項１】
建造物の表面に突出するアンカーボルトを覆い保護するキャップであって、透明の素材で形成したことを特徴とするアンカーボルトのキャップ。
【請求項２】
建造物の表面に突出するアンカーボルトを覆い保護するキャップであって、その一部又は複数個所を透明の素材で形成したことを特徴とするアンカーボルトのキャップ。
【考案の詳細な説明】
【技術分野】
【０００１】
本考案は、建造物の表面に突出するアンカーボルトに安全上取り付けられるキャップであって、その内部を簡単に点検することのできるキャップに関するものである。
【背景技術】
【０００２】
アンカーボルトによる施工は道路や橋梁等に設置される防護柵支柱、照明灯支柱、標識支柱等の各種の支柱の固定、機械設備や電気設備等の各種据え付け機器のベースの固定などに用いられており、表面に突出したねじ部に固定物を通しナットを締め付けて固定される。
【０００３】
図３に示すように表面に突出したアンカーボルトが露出していると、突出部に引っ掛けて事故や怪我を招く恐れやアンカーボルトの腐食を促進させてしまうなどの問題やいたずらされる問題があり、その防止策としてしばしば突出部を覆うようにキャップが取り付けられている。そして、従来のキャップはそれら建造物に合わせ美観上目立たないようにするようにその外観に同色又は同系色の色が施されている。
【０００４】
キャップのアンカーボルトへの取り付け構造としては、アンカーボルトに螺合するタイプや押し込んで取り付けるタイプ、ナットに嵌め合わせるタイプのものがある。
【０００５】
アンカーボルトは建造物固定の安全上の問題から、その状態を定期的に点検する作業がなされている場合がある。その際は、取り付けられたキャップを全て外して行わなければならない。従来のキャップの場合、取り付けられたキャップの状態では前述したようなアンカーボルトへの取り付け構造は判別できず、どのように外すかは手探りで判断していた。また、螺合するタイプであると、ひとつひとつ回して外すという手作業を何度も行わなければならず、点検作業の能率が極めて悪かった。
【先行技術文献】
【特許文献】
【０００６】
【特許文献１】特開平７−２９３５３７号公報
【考案の概要】
【考案が解決しようとする課題】
【０００７】
本考案はかかる実情に鑑み、キャップ取り付け後もそのままの状態で中のアンカーボルトの状況が確認でき、アンカーボルトへの取り付け構造を判別できるキャップを提供することを目的としている。
【課題を解決するための手段】
【０００８】
上記目的を達成するために、本考案はキャップの素材を透明としたことを特徴としている。
【０００９】
また、キャップの一部又は複数個所を透明の素材で形成したことを特徴としている。
【考案の効果】
【００１０】
本考案によれば、キャップをしたままでも中の状況を容易に確認することができるため、点検時にキャップを外す手間を省くことができ、能率的な点検作業を行うことができる。また、アンカーボルトへの取り付け構造が判別できるため、キャップを外さなければならない場合でも外し方が容易に判別できるため、回して外すという手間を省ける場合もあり、点検作業の能率化を図ることができる。点検作業を能率的に行えることは、点検にかかる人件費などのコスト削減が可能となり、ひいては点検作業の効率化に繋がる。
【００１１】
キャップは透明な素材、又は一部透明又は複数箇所透明な素材であればよく、材質は限定しない。また、アンカーボルトへの取り付け構造もアンカーボルト又はナットに取り付け可能であればよく、構造は限定しない。
【図面の簡単な説明】
【００１２】
【図１】本考案の実施例１におけるキャップの使用状態を表している。
【図２】本考案の実施例２におけるキャップの使用状態を表している。
【図３】キャップをしない状態のアンカーボルトの施工例を表している。
【考案を実施するための形態】
【００１３】
以下、本考案を実施するための形態を図面により説明する。
【実施例１】
【００１４】
図１は本考案の実施例１におけるキャップの使用状態を表しており、透明の素材で形成されているため、そのままの状態で中の様子やアンカーボルトへの取り付け構造を確認することができる。従って、点検作業の際にキャップを外す手間を省くことや、外す手間の軽減を図ることができる。なお、キャップのアンカーボルトへの取り付け構造の部分の図は省略した。
【実施例２】
【００１５】
図２は本考案の実施例２におけるキャップの使用状態を表しており、キャップの一部が透明の素材で形成されているため、その部分から中の様子やアンカーボルトへの取り付け構造を確認することができる。従って、前述と同様の効果を得ることができる。
【産業上の利用可能性】
【００１６】
本考案は、建造物から突出したアンカーボルトに取り付けて、事故やけがの防止に利用されるだけでなく、定期的にアンカーボルトの状態を点検する必要がある箇所に取り付けて点検作業の効率化を図るために利用される。
【符号の説明】
【００１７】
１：キャップ
２：アンカーボルト
３：支柱
【図１】
0003187094.tif 000003
【図２】
0003187094.tif 000004
【図３】
0003187094.tif 000005
(57)【要約】      （修正有）【課題】内部に芯材を設けるながらも、内面と外面とをひっくり返すことができるリバーシブルケースを提供する。【解決手段】リバーシブルケースＸとして、シート体を両端を閉じた筒状に形成したカバー部材１０と、カバー部材１０内部に設けられる、硬質な素材もしくは軟質で弾性力のある素材により形成された、カバー部材１０のほぼ半分の長さの筒体からなる芯部材２０とから構成する。【選択図】図２
0003187035.tif 000002
【実用新案登録請求の範囲】
【請求項１】
シート体を両端を閉じた筒状に形成したカバー部材と、
前記カバー部材内部に設けられる、硬質な素材もしくは軟質で弾性力のある素材により形成された、前記カバー部材のほぼ半分の長さの筒体からなる芯部材と
からなるリバーシブルケース。
【考案の詳細な説明】
【技術分野】
【０００１】
本考案は、小物などを入れるリバーシブルケースに関する。
【背景技術】
【０００２】
リバーシブルケースは、キルトなどの厚手の布製シートを容器の形状としたもので、容器の内面と外面とを異なる色や模様で形成することで、内面と外面とをひっくり返すと、異なる外観を持つケースとして使用することができる。
【考案の概要】
【考案が解決しようとする課題】
【０００３】
このようなリバーシブルケースは、内面と外面とをひっくり返す必要があるので、全体を柔らかい素材で形成する必要があり、内部に芯材を入れて硬くしっかりとしてものにすることはできなかった。このため、例えばメガネのような壊れやすいものを入れてケースごと踏まれると、全体がつぶれ中身を守ることができない。
本考案は、このような問題に鑑みて、内部に芯材を設けるながらも、内面と外面とをひっくり返すことができるリバーシブルケースを提供することを課題とする。
【課題を解決するための手段】
【０００４】
上記課題を解決するために、本考案はリバーシブルケースとして、シート体を両端を閉じた筒状に形成したカバー部材と、前記カバー部材内部に設けられる、硬質な素材もしくは軟質で弾性力のある素材により形成された、前記カバー部材のほぼ半分の長さの筒体からなる芯部材とから構成したものである。なお芯部材を構成する筒体は板体を丸めて筒状とし、丸めた端部同士を固定していないもの及び筒体の長手方向に沿った切れ目が存在するものが含まれる。
【考案の効果】
【０００５】
以上のような構成により、本考案は芯部材をカバー部材の一端側に寄せて、カバー部材の芯部材が入っていない他端側を筒体からなる芯部材の中に入れると、他端側が開放した筒状のケースを形成することができる。同様に、芯部材をカバー部材の他端側に寄せて、カバー部材の芯部材が入っていない一端側を芯部材の中に入れると、一端側が開放した筒状のケースを形成することができる。このように、本考案は、筒体の芯部材が入っていながら、カバー部材は一端側と他端側をそれぞれ外側、内側に入れ換えることができるリバーシブルケースとして使用することができる。
【図面の簡単な説明】
【０００６】
【図１】実施形態に係るリバーシブルケースの分解斜視図である。
【図２】実施形態に係るリバーシブルケースのカバー部材を伸ばした状態の斜視図である。
【図３】実施形態に係るリバーシブルケースの第一の状態を示す斜視図である。
【図４】実施形態に係るリバーシブルケースの第二の状態を示す斜視図である。
【考案を実施するための形態】
【０００７】
以下、本考案の実施の形態について、図面を参照しながら説明する。
図１に本実施形態に係るリバーシブルケースＸの分解斜視図を示す。リバーシブルケースＸは、カバー部材１０と芯部材２０とから構成される。リバーシブルケースＸを製作するには、まず、カバー部材１０は中央で異なるデザインがプリントされた布を筒状に縫製し、さらに、一端側端部１０ａを縫い合わせて閉じる。この中に、カバー部材１０により形成される筒の長さの約半分の長さのプラスチック製の楕円筒からなる芯部材２０を挿入する。芯部材２０は外周の長さは、カバー部材１０の内周の長さをほぼ等しい。その後、芯部材２０の他端側端部１０ｂを縫い合わせて閉じれば、図２のような状態となり、リバーシブルケースＸが完成する。
【０００８】
リバーシブルケースＸの使用方法は、芯部材２０をカバー部材１０の一端側に寄せ、カバー部材１０の他端側に余った芯部材２０の中に入れると、図３のような状態となって、一端側が開放したケースを得ることができる。そして、芯部材２０は他端側に寄せて、一端側に余ったカバー部材１０を芯部材２０内に入れると図４のような状態となって他端側が開放したケースを得ることができる。カバー部材１０は一端側と他端側で異なるデザインがプリントされているので、図３と図４に示すケースはそれぞれ異なる外観となる。そして、リバーシブルケースＸは中に芯部材２０が入っているので外部からの衝撃に強く、また、安定した状態で立てることができる。
【０００９】
なお、上記実施形態では、上記実施形態では芯部材２０として楕円筒を用いているが、円筒や角筒など種々の断面形状の筒を使用することができる。さらに、可撓性と弾性を有する板体を丸めて芯部材２０として用いることもできる。
【符号の説明】
【００１０】
Ｘ  リバーシブルケース
１０  カバー部材
２０  芯部材
【図１】
0003187035.tif 000003
【図２】
0003187035.tif 000004
【図３】
0003187035.tif 000005
【図４】
0003187035.tif 000006
(57)【要約】      （修正有）【課題】夜間でも発電することができるようにして、蓄電器に多くの電力を蓄電できるようにした太陽光パネルによる発電の再利用システムを提供する。【解決手段】太陽光パネル１と、太陽光パネルで発電した電気を蓄える蓄電器３と、蓄電器からの電気で点灯するＬＥＤ照明灯４とを具備し、ＬＥＤ照明灯による灯りを更に太陽光パネル１′に当てて発電させるようにし、蓄電器に多くの電力を蓄電できるようにした。【選択図】図１
0003187040.tif 000002
【実用新案登録請求の範囲】
【請求項１】
太陽光パネルと、該太陽光パネルで発電した電気を蓄える蓄電器と、該蓄電器からの電気で点灯するＬＥＤ照明灯とを具備し、該ＬＥＤ照明灯による灯りを更に太陽光パネルに当てて発電させることを特徴とする太陽光パネルによる発電の再利用システム。
【請求項２】
前記ＬＥＤ照明灯を当てる太陽光パネルは、別の太陽光パネルである請求項１記載の発電の再利用システム。
【請求項３】
前記別の太陽光パネルは、ＬＥＤ照明灯に灯りが当たるように、ＬＥＤ照明灯に装着されている請求項２記載の発電の再利用システム。
【請求項４】
前記ＬＥＤ照明灯を当てる太陽光パネルは、同じ前記太陽光パネルである請求項１記載の発電の再利用システム。
【請求項５】
前記ＬＥＤ照明灯には、バッテリーが内蔵されている請求項１−４のいずれかに記載の発電の再利用システム。
【考案の詳細な説明】
【技術分野】
【０００１】
この考案は、太陽光発電により照明を点灯させ、その照明の灯りを太陽光パネルに当てて発電させる太陽光パネルによる発電の再利用システムに関する。
【背景技術】
【０００２】
太陽光パネルにより得られた電力により照明を点灯させることは、広く行われている。しかしながら、この方法は雨の日とか夜間は発電することができない。
【考案の開示】
【考案が解決しようとする課題】
【０００３】
この考案は、このような点に着目してなされたものであり、雨の日や夜間でも発電することができるようにして、蓄電器に多くの電力を蓄電できるようにした太陽光パネルによる発電の再利用システムを提供することを目的とする。
【０００４】
上記目的を達成するため本考案者は、鋭意研究の結果、太陽光発電により点灯したＬＥＤ照明灯の灯りを太陽光パネルに当てることにより、発電することを想到し、本考案に到達した。
【０００５】
即ち、本考案は、太陽光パネルと、該太陽光パネルで発電した電気を蓄える蓄電器と、該蓄電器からの電気で点灯するＬＥＤ照明灯とを具備し、該ＬＥＤ照明灯による光を更に太陽光パネルに当てて発電させることを特徴とする。
【０００６】
太陽光パネルにより発電する電気は直流であるが、ＬＥＤ照明灯を点灯させるので、そのまま使用することができる。
【０００７】
ＬＥＤ照明灯を当てる太陽光パネルは、別の太陽光パネルであるのが好ましい（請求項２）。
【０００８】
前記別の太陽光パネルは、ＬＥＤ照明灯の灯りが当たるようにＬＥＤ照明灯に装着することもできる（請求項３）。
【０００９】
ＬＥＤ照明灯を同じ太陽光パネルに当てることもできる（請求項４）。
【考案の効果】
【００１０】
本考案によれば、夜間若しくは雨の日でも太陽光発電で発電させることができるので、多くの電気を蓄電器に蓄えることができる。
【図面の簡単な説明】
【００１１】
【図１】本考案の実施例を示す概略図である。
【図２】本考案の他の実施例を示す概略図である。
【図３】本考案の他の実施例を示す概略図である。
【図４】本考案の他の実施例を示す概略図である。
【符号の説明】
【００１２】
１                太陽光パネル
１´              太陽光パネル
２                電線
３                蓄電器
４                ＬＥＤ照明灯
【考案を実施するための最良の形態】
【００１３】
以下、本考案の好ましい実施の形態を、添付図面に基づいて説明する。
【００１４】
図１は、本考案の実施例を示すものであり、太陽光パネル１により発電した電気は、電線２を通って蓄電器３に蓄電される。蓄電器３から電線２を通ってＬＥＤ照明灯４を点灯させる。蓄電器３には、ＬＥＤ照明灯４に連結する２本の電線が連結されている。一方の電線２にはＬＥＤ照明灯４が３個直列に連結され、他方の電線２にはＬＥＤ照明灯４が１個連結されている。
この１個連結されているＬＥＤ照明灯４が、別の小さい太陽光パネル１´を照射している。この照射により発電した電気は、電線２を通って蓄電器３に蓄電される。
【００１５】
図２は、本考案の他の実施例を示すものであり、ＬＥＤ照明灯４の前面に太陽光パネル１´対向して２個連結されている。太陽光パネル１´は、ＬＥＤ照明灯４の光が当たるように、内方に向けて角度を形成するように連結されている。このようにして発生した電気は、蓄電器に蓄電しても良いが、他のＬＥＤ照明灯４の点灯に使用しても良い。
【００１６】
図３は、本考案の他の実施例を示すものであり、太陽光パネル１で発電した電気は、電線２を通って、蓄電器３に蓄電される。蓄電器３には、２本の電線が接続されている。一方の電線２には、照明灯４が３個直列に連結され、他方の電線にはＬＥＤ照明灯４が１個連結されている。１個連結されているＬＥＤ照明灯４は、昼間発電に使用した同じ太陽光パネル１を照射して発電している。得られた電気は、電線２を通って蓄電器３に蓄電される。
【００１７】
図４は、本考案の他の実施例を示すものであり、太陽光パネル１で発電した電気は、蓄電器（バッテリー）３に蓄電され、太陽光専用ＬＥＤ照明４に放電する。ＬＥＤ照明４には、ＬＥＤ照明４を保護するための小容量のバッテリーが内臓されている。このようにＬＥＤ照明４にバッテリーを内蔵することにより、ＬＥＤ照明４毎にオン・オフすることができ、部屋ごとにオン・オフすることができる。
【産業上の利用可能性】
【００１８】
本考案は、太陽光パネルが発電に使用し得ない夜間とか雨の日でも発電できるので、多くの電気を蓄電できるから、多くの電気を必要とする場合にその利用が期待される。
【図１】
0003187040.tif 000003
【図２】
0003187040.tif 000004
【図３】
0003187040.tif 000005
【図４】
0003187040.tif 000006
(57)【要約】      （修正有）【課題】マドラーを使う時に、撹拌効果を上げる為に、軸棒の先端部にスクリューを設け軸棒自体がストローを兼ねるよう施したスクリュー付きストロー兼用のマドラーを提供する。【解決手段】マドラーの軸棒１をストロー状にして、マドラーの軸棒１の先端部に螺旋状の球２を設け、螺旋状の球２を貫通している軸棒１の部分に、1つ以上のスクリュー３を軸方向に設けて撹拌効果のアップを計り、軸棒１の回転によって、スクリュー３も同調して回転するストロー兼用のマドラーとした。【選択図】図１
0003187053.tif 000002
【実用新案登録請求の範囲】
【請求項１】
マドラーの軸棒（１）をストロー状にしてその先端部に、螺旋状の球（２）を設け、
この螺旋状の球（２）を貫通している軸棒の部分に、スクリュー（３）を固定した、スト
ロー兼用のマドラー。
【考案の詳細な説明】
【技術分野】
【０００１】
この考案はマドラーにスクリューを設け、更にストローの機能を持たせた、ストロー
兼用のマドラーに関するものである。
【背景技術】
【０００２】
従来のマドラーは、概ね棒状の先端をスプーン状にしたり、球状にして、これを上
下することで撹拌していた。
【先行技術文献】
【特許文献】
【０００３】
【特許文献１】特開２００２−１０４５４１
【特許文献２】特開平０９  −２３４１４９
【特許文献３】実開平０５  −０８４２６５
【考案の概要】
【考案が解決しようとする課題】
【０００４】
これは、次のような課題があった。
従来のマドラーは。単なる上下運動による撹拌である為、飛沫が飛び散り、撹拌効
果も今一つで、均一にするまでに時間を要し、完全に混合しないことが多かった。
本考案は、以上のような課題をなくすためになされたものである。
【課題を解決するための手段】
【０００５】
マドラーの軸棒（１）をストロー状にして、その先端部に、螺旋状の球（２）を設け
螺旋状の球（２）の中心部に、軸棒（１）を貫通させる。この貫通部分にスクリュー（３）を取り付ける。
本考案は以上の構成よりなるストロー兼用のマドラーである。
【考案の効果】
【０００６】
螺旋状の球は、軸棒と分離されているので、軸棒の回転によりスクリューが回転しても、螺旋状の球は回転せず、撹拌効果が顕著であると共に、螺旋状の球が、氷等の固体から回転スクリューを保護してくれるので、スクリューが回転してもなんら支障は生じない。
【図面の簡単な説明】
【０００７】
【図１】本考案の立体図
【図２】本考案の螺旋状の球と軸棒の拡大図
【考案を実施するための形態】
【０００８】
以下、本考案を実施するための形態について説明する。
マドラーの軸棒（１）はストロー状になっており、軸棒の先端部には螺旋状の球（２）が設けられていて、止め金具（４）で固定されているが、軸棒（１）に対して、若干の隙間
を持たせ、軸棒と分離してあるので軸棒が回転しても螺旋状の球は回転しない。                                                
更に、軸棒が螺旋状の球を貫通している部分に、撹拌用のスクリュー（３）を２個直列に
設けて撹拌効果のアップを計り、軸棒の回転によりって、スクリューも同調して回転する
ように施した。
本考案は、以上のような構造である。これを使用する時は、マドラーをカクテルグラス等
にセットし、軸棒を指でつまんで回転させ、十分に撹拌されたところで、ストローの吸い
口（５）を軸棒セットして吸えば良い。
【符号の説明】
【０００９】
１  マドラーの軸棒（ストロー状）
２  螺旋状の球
３  スクリュー
４  止め金具
５  ストローの吸い口
６  グラス
【図１】
0003187053.tif 000003
【図２】
0003187053.tif 000004